(57)【要約】【課題】移動子とボディの内部空間の壁面との衝突音を抑制しうるルアーの提供。【解決手段】本発明に係るルアー２は、ボディ６、移動子１２及び軟質部材１０を備えている。この移動子１２は、ボディ６の内部空間２２に内蔵されている。この移動子１２は、可動状態で保持されている。この軟質部材１０は、移動子１２が衝突する内部空間２２の壁面に取り付けられている。好ましくは、この内部空間２２は、ボディ６の前後方向に延びて形成されている。この移動子１２は、この内部空間２２に前方位置と後方位置との間を移動しうるように保持されている。この軟質部材１０は、前方位置の前方の壁面に取り付けられている。好ましくは、上記軟質部材１０は、内部空間２２の壁面全面に取り付けられている。好ましくは、上記移動子は、複数のラトルボールである。【選択図】図２
2010068712.tif 000002
【特許請求の範囲】
【請求項１】
ボディ、移動子及び軟質部材を備えており、
この移動子がボディの内部空間に内蔵されており、
この移動子が可動状態で保持されており、
この移動子が衝突する内部空間の壁面に軟質部材が取付られているルアー。
【請求項２】
上記内部空間がボディの前後方向に延びて形成されており、
この移動子が前方位置と後方位置との間を移動しうるように保持されており、
この前方位置の前方の壁面に軟質部材が取り付けられている請求項１に記載のルアー。
【請求項３】
上記軟質部材が内部空間の壁面全面に取り付けられている請求項１に記載のルアー。
【請求項４】
上記移動子が複数のラトルボールである請求項３に記載のルアー。
【発明の詳細な説明】
【技術分野】
【０００１】
本発明は、釣りに用いられるルアーに関する。詳細には、本発明は、ボディ内部に移動可能に移動子を備えたルアーに関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、ルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。
【０００３】
釣り人が、ルアーを遠方へキャストしたいと望むことがある。前述のように、ルアーは空中を飛行する。飛行時には、ルアーは空気抵抗を受ける。空気抵抗の小さなルアーは、遠方へとキャストされうる。
【０００４】
前述のようにフィッシュイーターは、ルアーをベイトと勘違いすることによりこのルアーに食いつく。ルアーの水中姿勢、アクション又は発生音は、フィッシュイーターの勘違いを誘うものである必要がある。
【０００５】
特開２００１−２９９１５４公報には、重心移動式のルアーが開示されている。このルアーでは、ボディに内蔵された移動子である重錘が前後方向に移動しうる。空中を飛行するとき、重錘は後側（つまりテール側）に位置する。換言すれば、飛行時のルアーの重心は、後寄りである。ルアーは、テールを先頭にして飛行する。この飛行姿勢における空気抵抗は小さいので、ルアーは遠方へとキャストされうる。着水後、磁石に引かれて重錘は前側へと移動する。水中では、重錘は前側に位置する。換言すれば、水中でのルアーの重心は、前寄りである。この重心位置は、好ましい水中姿勢に寄与する。
【特許文献１】特開２００１−２９９１５４公報
【特許文献２】特開平１０−２４８４４１公報
【発明の開示】
【発明が解決しようとする課題】
【０００６】
このルアーでは、飛行時の重心位置と水中での重心位置とは異なる。重錘は、後方から前側へ移動する際に、ボディの前方の内壁に衝突する。このボディは、硬質の合成樹脂からなる。また、重錘は炭素鋼からなるのが一般的である。このため、ボディの内壁と重錘との衝突により、比較的高い音域の衝突音が発生する。この衝突音は、フィッシュイータを驚かせる。ルアーの着水後に、その周辺のフィッシュイータが逃げてしまう恐れがある。
【０００７】
本発明の目的は、移動子とボディの内部空間の壁面との衝突音を抑制しうるルアーの提供にある。
【課題を解決するための手段】
【０００８】
本発明に係るルアーは、ボディ、移動子及び軟質部材を備えている。この移動子は、ボディの内部空間に内蔵されている。この移動子は、可動状態で保持されている。この軟質部材は、移動子が衝突する内部空間の壁面に取り付けられている
【０００９】
好ましくは、このルアーの内部空間は、ボディの前後方向に延びて形成されている。この移動子は、この内部空間に前方位置と後方位置との間を移動しうるように保持されている。この軟質部材は、前方位置の前方の壁面に取り付けられている。
【００１０】
好ましくは、上記軟質部材は、内部空間の壁面全面に取り付けられている。  
【００１１】
好ましくは、上記移動子は、複数のラトルボールである。
【発明の効果】
【００１２】
本発明に係るルアーでは、移動子とボディの内部空間の壁面との衝突音が抑制されている。このルアーは、着水後にフィッシュイータに警戒され難い。このルアーは、フッシュイータのより近くにキャスティングすることができる。
【発明を実施するための最良の形態】
【００１３】
以下、適宜図面が参照されつつ、好ましい実施形態に基づいて本発明が詳細に説明される。
【００１４】
図１は、本発明の一実施形態に係るルアー２が２つのフック４と共に示された正面図である。図２は、図１のルアー２が示された一部切り欠き断面図である。図１において、左右方向は、ルアー２の前後方向である。この上下方向は、ルアー２の体高方向である。このルアー２は、ボディ６、磁石片８、軟質部材１０、移動子としての球１２、リップ１４、ラインアイ１６及び２つのフックアイ１８を備えている。このフックアイ１８の数は、１でもよく、３以上でもよい。
【００１５】
ボディ６は、ベイトである小魚に類似の外形を有する。典型的には、ボディ６は合成樹脂からなる。好ましい合成樹脂は、ＡＢＳ樹脂である。ボディ６が金属材料又は木質材料からなってもよい。ボディ６は、前後方向に延びる内部空間としてのガイド室２２を備えている。ガイド室２２は、前方に向かって体高方向下向きに傾斜している。
【００１６】
磁石片８は、板状である。磁石片８はボディ６に収容されて固定されている。磁石片８は、ガイド室２２の前方位置の下方に固定されている。磁石片８は、フェライト磁石、希土類磁石等からなる。大きな磁力が得られるとの観点から、希土類磁石が好ましい。希土類磁石の具体例としては、ネオジム磁石、サマリウム−コバルト磁石等が挙げられる。
【００１７】
軟質部材１０は、板状である。軟質部材１０は、ボディ６のガイド室２２に取り付けられている。軟質部材１０は、ガイド室２２の前方端の前方の壁面に接着されている。軟質部材１０は、合成ゴムからなる。軟質部材１０は、合成ゴムの他アクリル系樹脂などのエラストマ−からなってもよい。軟質部材１０は、発泡スチロールなど発泡材からなってもよい。この軟質部材１０は、変形することで球１２の運動エネルギーの一部を吸収する機能を有している。
【００１８】
球１２は、ボディ６のガイド室２２に内蔵されている。このガイド室２２に、１個の球１２が収容されている。球１２の数は２以上でもよい。球１２の直径は、ガイド室２２の高さよりも若干小さい。球１２は、ガイド室２２の中において前後方向に移動可能である。球１２は、ガイド室２２の前方端と後方端との間を移動しうる。球１２は、磁着性材料からなる。本発明において磁着性とは、磁石に吸着される性質を意味する。
【００１９】
リップ１４は板状であり、硬質材料からなる。リップ１４は、ボディ６の頭部の底面に取り付けられている。リップ１４は、前方に張り出している。リップ１４は、前方に向かって体高方向下向きに傾斜している。リップ１４は、水受け面２４を備えている。この水受け面２４は、リップ１４の上面に形成されている。この水受け面２４は、平らな平面である。水受け面２４は、前方に向かって体高方向下向きに傾斜している。
【００２０】
ラインアイ１６及びフックアイ１８は、金属線が曲げられることによって形成されている。金属線の端部は、ボディ６に埋設されている。この埋設により、ラインアイ１６及びフックアイ１８がボディ６に取り付けられている。
【００２１】
図１に示されるように、フックアイ１８を介して、フック４がボディ６に取り付けられている。このフック４は、いわゆるトリプルフックである。このフック４には、シングルフック、ダブルフック等が用いられてもよい。フック４の数は、１でもよく、３以上でもよい。
【００２２】
図３は、図１のルアー２の飛行状態が示された一部切り欠き断面図である。図３には、ライン２６及びフック４も示されている。このラインアイ１６には、ライン２６が結ばれている。このルアー２がキャスティングされて、図３の飛行状態にされる。このルアー２の飛行時には、球１２は、遠心力及び慣性力を受ける。この球１２は、ガイド室２２の後方端に位置する。本発明では、この位置が「後方位置」と称される。球１２が後方位置にあるとき、ルアー２の重心は後寄りである。ルアー２は、テールを先頭にした姿勢で飛行する。このときの空気抵抗は、小さい。このルアー２では、大きな飛距離が得られる。
【００２３】
図４は、図１のルアー２の着水後にライン２６にひかれている状態が示された一部切り欠き断面図である。この図４には、ライン２６及び２つのフック４も示されている。着水後、ガイド室２２が傾斜していることに起因して、球１２は前方へと移動する。さらに球１２は磁石片８に引き寄せられ、ガイド室２２の前方端に至る。本発明では、この位置が「前方位置」と称される。このルアー２では、球１２が前方位置に至って、軟質部材１０に衝突する。この軟質部材１０により、低い音域の衝突音が発生する。このルアー２では、ボディ６と球１２との高音域の衝突音の発生が抑制されている。
【００２４】
物や生物が落下して水面に着水することは、自然界で多く起きている現象である。フッシュイータは、ルアー２の着水をあまり警戒しない。一方、ボディ６と球１２との高音域の衝突音は、自然界では特殊な音である。このような特殊な音は、フッシュイータに警戒されやすい。このルアー２は、着水後にフッシュイータに警戒されにくい。このルアー２は、フッシュイータのより近くに着水させることができる。これにより、より早く狙った位置にルアー２を到達させることができる。
【００２５】
このルアー２は、リップ１４を備えている。このルアー２は、ライン２６に引かれることによりリップ１４の水受け面２４に水を受けて潜行するタイプである。このルアー２は、頭部を斜め下方に向けて潜行する。このように頭部を斜め下方に向けて潜行するルアー２では、ボディ６と球１２との衝突音はより大きくなり易い。このルアー２では、軟質部材１０によりボディ６と球１２との高音域の衝突音の発生が抑制されている。
【００２６】
球１２は磁力により、前方位置に固定される。水中でルアー２がアクションを起こしても、球１２は移動しない。球１２が前方位置にあるとき、飛行時に比べてルアー２の重心は前寄りである。この重心位置は、水中でのルアー２にとって適正な位置である。重心位置が適正であるルアー２は、水中で適正な姿勢を保つ。重心位置が適正であるルアー２がラインで引かれると、このルアー２は良好なアクションを起こす。このルアー２は、フィッシュイーターにアピールする。このルアー２が再度キャストされると、遠心力により球１２は後方位置へと移動する。このルアー２の重心は、後寄りである。このルアー２が着水すると、球１２は前方位置へと移動する。このルアー２の重心は、前寄りである。このルアー２では、球１２は移動式の重錘である。
【００２７】
図５は、本発明の他の実施形態に係るルアー２８が２つのフック４と共に示された一部切り欠き断面図である。図６は、図５のVI−VI線に沿った断面図である。このルアー２８は、移動子としての球３０、リップ１４、ラインアイ１６、２つのフックアイ１８、ボディ３２及び軟質部材としての軟質部材３４を備えている。ここでは、ルアー２と異なる構成が説明される。ルアー２と同様の構成については、その説明が省略される。
【００２８】
ボディ３２は、内部空間としてのガイド室３６を備えている。このガイド室３６は、ルアー２８の前後方向に延びて形成されている。このガイド室３６の後方は、ほぼ水平方向に形成されている。このガイド室３６の前方は、前方に向かって体高方向下向きに傾斜している。このガイド室３６は、後方から前方に向かって徐々にこの傾斜が大きく形成されている。軟質部材３４は、ガイド室３６の壁面全面に接着されている。
【００２９】
球３０は、ボディ３２のガイド室３６に内蔵されている。球３０の直径は、ガイド室３６の軟質部材３４で覆われた空間の高さより小さい。球３０は、ガイド室３６の中において前後方向に移動可能である。球３０は、ガイド室３６の前方位置と後方位置との間を移動しうる。球３０は、磁着性材料に限られない。ここでは、１個の球３０が収容されている。球３０の数は２以上でもよい。
【００３０】
このルアー２８がキャスティングされる。このルアー２８の飛行時には、球３０は、遠心力及び慣性力を受ける。この球３０は、ガイド室３６の後方位置に位置する。球３０が後方位置にあるとき、ルアー２８の重心は後寄りである。ルアー２８は、テールを先頭にした姿勢で飛行する。このときの空気抵抗は、小さい。このルアー２８では、大きな飛距離が得られる。このルアー２８では、球３６は移動式の重錘である。
【００３１】
このルアー２８の着水後、ガイド室３６が傾斜していることに起因して、球３０は前方へと移動する。ガイド室３６の傾斜により、ガイド室３６の前方位置に至る。このルアー２８では、球３６が、軟質部材３４に接して転がる。この軟質部材３４により、従来のルアーより低い音域の転がり音が発生する。この球３６は、ガイド室３６の前方位置の前方の軟質部材３４に衝突する。この軟質部材３４により、従来のルアーより低い音域の衝突音が発生する。このルアー２８では、ボディ３２と球３０との高音域の音の発生が抑制されている。  
【００３２】
このルアー２８は、前述のルアー２と同様に、着水後にフッシュイータに警戒されにくい。このルアー２８は、フッシュイータのより近くに着水させることができる。これにより、より早く狙った位置にルアー２８を到達させることができる。このルアー２８も、図１に示されたルアー２と同様にリップ１４を備えている。頭部を斜め下方に向けて潜行するルアー２８では、ボディ３２と球３６との転がり音及び衝突音はより大きくなり易い。このルアー２８では、ボディ３２と球３６との高音域の転がり音及び衝突音の発生が抑制されている。
【００３３】
図７は、本発明の更に他の実施形態に係るルアー３８が２つのフック４と共に示された一部切り欠き断面図である。図８は、図７のVIII−VIII線に沿った断面図である。図７の紙面に垂直な方向が左右方向である。図８に示されたこの左右方向がルアー３８の体幅方向である。このルアー３８は、移動子としての複数のラトルボール４０、ラインアイ４２、２つのフックアイ４４、ボディ４６及び軟質部材４８を備えている。ここでは、ルアー２と異なる構成が説明される。ルアー２と同様の構成については、その説明が省略される。
【００３４】
ボディ４６は、前後方向に延びる内部空間としての収容室５０を備えている。軟質部材４８は、収容室５０の壁面全面に接着されている。
【００３５】
複数のラトルボール４０は、収容室５０に内蔵されている。このラトルボール４０は、球形状である。ラトルボール４０の直径は、収容室５０の軟質部材４８で覆われた空間の体高方向の高さ及び体幅方向の幅より十分に小さい。ラトルボール４０は、収容室５０の内を前後方向、体高方向及び体幅方向に移動可能である。複数のラトルボール４０は、互いに接しながら収容室５０の内を移動しうる。
【００３６】
ラインアイ４２及びフックアイ４４は、金属線が曲げられることによって形成されている。金属線の端部は、ボディ４６に埋設されている。この埋設により、ラインアイ４２及びフックアイ４４がボディ４６に取り付けられている。このラインアイ４２は、ボディ４６の上方前寄りに位置している。フックアイ４４には、フック４が取り付けられている。
【００３７】
ラインアイ４２に、図示されないラインが結ばれる。このルアー３８及び２つのフック４がキャスティングされる。このルアー３８の飛行時には、ラトルボール４０は、遠心力及び慣性力を受ける。
【００３８】
このルアー３８の着水後、このラトルボール４０は、ルアー３８の前後方向中央へと移動する。これにより、ルアー３８の腹部を重心として、このルアー３８は水中で適正な姿勢が保たれる。
【００３９】
ラインが引かれることにより、このルアー３８は、水中を泳ぐ。このルアー３８は、頭部を左右に振動させながら泳ぐ。ラトルボール４０が互いに接触してラトル音を発生する。ラトルボール４０と収容室５０の軟質部材４８とが接触してラトル音を発生する。このルアー３８は、ボディ４６を振動させて、ラトル音を発生する。このラトル音は、フッシュイータの興味を引く。
【００４０】
このルアー３８では、ラトルボールとルアーのボディとの直接の衝突音を発生しない。このルアー３８では、ラトルボール４０が勢いよくルアーのボディと衝突して発生する衝突音が発生しない。このルアー３８は、ラトルボール４０とボディー４６との衝突音の発生が抑制されている。このルアー３８は、フッシュイータに警戒されにくい。このルアー３８は、フッシュイータのより近くに着水させることができる。これにより、より早く狙った位置にルアー３８を到達させることができる。
【００４１】
このルアー３８では、軟質部材４８の厚み、軟質部材４８とラトルボールと隙間又は軟質部材４８の材質を変更することで、容易にラトル音の音域の高低を変更できる。このルアー３８では、ラトル音の音域の高低をコントロールできる。このルアー３８の構成によれば、狙うフッシュイータの好む低音域のラトル音を発するルアー３８が容易に製作できる。
【産業上の利用可能性】
【００４２】
本発明は、移動式重錘を備えたルアー及びラトルルアーに適用されうる。
【図面の簡単な説明】
【００４３】
【図１】図１は、本発明の一実施形態に係るルアーが２つのフックと共に示された正面図である。
【図２】図２は、図１のルアーが示された一部切り欠き断面図である。
【図３】図３は、図１のルアーの飛行状態が示された一部切り欠き断面図である。
【図４】図４は、図１のルアーの着水後にラインにひかれている状態が示された一部切り欠き断面図である。
【図５】図５は、本発明の他の実施形態に係るルアーが２つのフックと共に示された一部切り欠き断面図である。
【図６】図６は、図５のVI−VI線に沿った断面図である。
【図７】図７は、本発明の更に他の実施形態に係るルアーが２つのフックと共に示された一部切り欠き断面図である。
【図８】図８は、図７のVIII−VIII線に沿った断面図である。
【符号の説明】
【００４４】
２、２８、３８・・・ルアー
４・・・フック
６、３２、４６・・・ボディ
８・・・磁石片
１０、３４、４８・・・軟質部材
１２、３０・・・球
１４・・・リップ
１６、４２・・・ラインアイ
１８、４４・・・フックアイ
２０・・・
２２、３６・・・ガイド室
２４・・・水受け面
２６・・・ライン
４０・・・ラトルボール
５０・・・収容室
【図１】
2010068712.tif 000003
【図２】
2010068712.tif 000004
【図３】
2010068712.tif 000005
【図４】
2010068712.tif 000006
【図５】
2010068712.tif 000007
【図６】
2010068712.tif 000008
【図７】
2010068712.tif 000009
【図８】
2010068712.tif 000010